(57)【要約】【課題】グリップ部を持つ指の位置を容易に決めることができ、使用時に電気かみそりを取り落とすことがなくなり、刃先を思うように運ぶことが容易になると共に、熟練のない素人でも安全かつ確実なつかみ方ができ、そのうえヘッド部の動きの安定性をよくでき、安全確実にカットが行なえるようにすること。【解決手段】モータと刃を備えたヘッド部Ａがグリップ部Ｂに対して移動自在に支持されている電気かみそり１である。ヘッド部Ａに近いグリップ部Ｂの前壁２１ａに、ヘッド部Ａの底面よりも上側に突出する突出壁７４を形成し、この突出壁７４に指当て部７５を設けた。【選択図】　　　　図１
2004073815.tif 000002
【特許請求の範囲】
【請求項１】
モータと刃を備えたヘッド部がグリップ部に対して移動自在に支持されている電気かみそりにおいて、ヘッド部に近いグリップ部の前壁に、ヘッド部の底面よりも上側に突出する突出壁を形成し、この突出壁に指当て部を設けたことを特徴とする電気かみそりの可動ヘッド保持構造。
【請求項２】
指当て部の背面にてヘッド部を支持するヘッド支持部を構成したことを特徴とする請求項１記載の電気かみそりの可動ヘッド保持構造。
【請求項３】
指当て部を凹み状に形成したことを特徴とする請求項１又は請求項２記載の電気かみそりの可動ヘッド保持構造。
【請求項４】
指当て部に滑り止め手段を設けたことを特徴とする請求項１又は請求項２又は請求項３記載の電気かみそりの可動ヘッド保持構造。
【請求項５】
ヘッド部側に、グリップ部に設けた突出壁の上端縁と対向する突出部を設けると共に、突出部と突出壁との間にヘッド部が移動できるように空間を設けたことを特徴とする請求項１記載の電気かみそりの可動ヘッド保持構造。
【請求項６】
ヘッド部にモータを内蔵したことを特徴とする請求項１又は請求項５記載の電気かみそりの可動ヘッド保持構造。
【請求項７】
モータと刃を備えたヘッド部がグリップ部に対して移動自在に支持されていると共に、ヘッド部に近いグリップ部の前壁に、ヘッド部の底面よりも上側に突出する突出壁を形成し、この突出壁に指当て部を設けたことを特徴とする電気かみそり。
【発明の詳細な説明】
【０００１】
【発明の属する技術分野】
本発明は、ヘッド部がグリップ部に対して相対移動を行なうことにより、シェービング時に刃が肌に密着するようにした電気かみそり及びその可動ヘッド保持構造に関するものである。
【０００２】
【従来の技術】
従来、この種の電気かみそりにおいて、ヘッド部とグリップ部とを分離してヘッド部を左右に揺動する方式では、ヘッド部の下部側に内蔵したモータ部分がグリップ部に覆われているため、ヘッド部が左右に動く量が大きく規制されてしまい、肌への追随性において十分に機能が発揮できないという問題を有する。
【０００３】
従来、ヘッド部がグリップ部に対して相対移動を行なうことにより、シェービング時に刃を肌に密着させるための構造が数多く提案されている。その代表的な事例として、モータとヘッド部を一体として、グリップ部の前後壁によりヘッド部が左右回転自在に支持されたものが知られている（例えば、特許文献１参照。）。
【０００４】
また他の従来例として、肌面の左右方向及び上下方向の変化に対して追従を向上させることを目的として、モータとヘッド部を一体としてグリップ部に対してヘッド部が左右、上下動自在に支持されたものも知られている（例えば、特許文献２参照。）。
【０００５】
【特許文献１】
特開平６−３４３７７６号公報
【特許文献２】
特開平１０−４３４４３号公報
【０００６】
【発明が解決しようとする課題】
ところが、特許文献１のように、モータとヘッド部を一体として、グリップ部の前後壁によりヘッド部が左右回転自在に支持されたものでは、ヘッド部と一体となったモータがグリップケースの奥まで入り込んでいるために、グリップケースの上面は大きく開放した形となっており、その開放面を覆うためにヘッド部の底面を開放面と同じＲ面で形成し、Ｒ面に沿ってのみヘッド部が移動可能となっている。よって、グリップ部に対するヘッド部の動きは非常に制限されたものとなってしまい、肌への追従性を大きく向上させることはできないという問題がある。また、ヘッド部の左右回転に伴うモータがグリップケース内の移動が十分にできるように、グリップ部の幅を相当に大きくしているが、ヘッドよりも大きな幅のグリップ部となってしまい、非常に持ちにくいものとなってしまうという問題もある。
【０００７】
また、特許文献２においては、ヘッド部と一体となったモータ部が、グリップ部に対して奥まで入り込んでおり、そのために左右方向に大きく回転させようとした場合には、モータがグリップケースの内面に当たってしまうために、左右方向の回転自由角度はわずかしか確保できないという問題を有している。
【０００８】
なお、刃ヘッドケース内にモータを配置し、ヘッド上端付近に設けた回転軸を中心として前後方向に回転自在に支持されているもの（例えば、ＷＯ００／３８８９１）が知られているが、この場合、ヘッド部の回転方向が前後方向となっており、ヘッド部が回転するとその下端部はグリップ部よりも大きく突出する。この状態においてグリップ部を持つ指が当たらないようにするためには、ヘッド部を相当に小さくする必要があり、この場合、通常のモータでは十分なパワーが出せず、切れ味の悪いものとなってしまう。なお回転軸位置を下側にする構成も考えられるが、その場合には剃り方によってはヘッド部が肌から離れる側に回転する動作が起きてしまい、実使用上機能を果たさない結果となってしまう。
【０００９】
また、電気かみそりのグリップ部の把持方法として、例えば図８に示すような「はさみ持ち」や、図９に示すような「つかみ持ち」があるが、ユーザーの手の大きさや持ち方の差異によって、指の位置にばらつきが生じ、安定したグリップ性が得られない可能性がある。このため、肌への押し付けの際に最適な押し付け力で剃れなかったり、肌に毛剃り刃（ヘッド部）が最適な角度で当たらなくなったりして、剃り残しが多く、剃り時間が長くなるという問題もあった。
【００１０】
本発明はこのような点に鑑み為されたものであり、その目的とするところは、ユーザーの手の大きさや持ち方に差異があっても、グリップ部を持つ指の位置を容易に決めることができ、使用時に電気かみそりを取り落とすことがなくなり、刃先を思うように運ぶことが容易になると共に、熟練のない素人でも安全かつ確実なつかみ方ができ、そのうえヘッド部の動きの安定性をよくでき、安全確実にカットが行なえるようにした電気かみそり及びその可動ヘッド保持構造を提供することにあり、他の目的とするところは、指当て部に指先の腹を滑らかに添えることができると共に指先が指当て部に引っ掛かりやすくなり、さらに清掃も容易な電気かみそりの可動ヘッド保持構造を提供することにあり、他の目的とするところは、指とヘッド部との間の間隔に余裕を持たせることができ、安全性をより高めることができる電気かみそりの可動ヘッド保持構造を提供することにあり、他の目的とするところは、ヘッド部の高さを高くすることなく、ヘッド部内部の収納スペースを拡大させることができ、しかもグリップ部に対するヘッド部の動きを大きくでき、肌への追従性が良好な電気かみそりの可動ヘッド保持構造を提供することにあり、更に他の目的とするところは、グリップ部をスリム化してグリップ部に対するヘッド部の動きを大きく確保できるようにした電気かみそりの可動ヘッド保持構造を提供することにある。
【００１１】
【課題を解決するための手段】
上記課題を解決するために本発明にあっては、モータ５と刃を備えたヘッド部Ａがグリップ部Ｂに対して移動自在に支持されている電気かみそりにおいて、ヘッド部Ａに近いグリップ部Ｂの前壁２１ａに、ヘッド部Ａの底面７３よりも上側に突出する突出壁７４を形成し、この突出壁７４に指当て部７５を設けたことを特徴としており、このように構成することで、ユーザーの手の大きさや持ち方に差異があっても、指当て部７５に例えば親指８１の指先８１ａを当てがうようにすることで、親指８１の位置を定位置に位置決めできるようになり、これにより他の４本の指の位置も決まり、使用中に電気かみそり１の取り落としがなくなると共に、刃先を思うように運ぶことも容易となり、熟練のない素人でも安全かつ確実なつかみ方ができるようになる。さらに指当て部７５は、ヘッド部Ａに近いグリップ部Ｂの上端部から突設した突出壁７４に設けられているので、指当て部７５をヘッド部Ａに近い位置に位置させることができるため、指当て部７５に当てがった指によってヘッド部Ａの動きが安定よくなり、安全確実にカットを行なえるようになる。
【００１２】
また上記指当て部７５の背面にてヘッド部Ａを支持するヘッド支持部７６を構成するのが好ましく、この場合、指当て部７５とヘッド支持部７６とが近接することによって、ヘッド支持部７６に近い部分を指で押さえる形となり、ヘッド部Ａの動作が安定化する。
【００１３】
また上記指当て部７５を凹み状に形成するのが好ましく、この場合、指当て部７５に指先の腹を滑らかに添えることができると共に指先が指当て部７５に引っ掛かりやすくなり、さらに滑らかな凹み状にすれば清掃も容易となる。
【００１４】
また上記指当て部７５に滑り止め手段を設けるのが好ましく、この場合、指当て部７５に当てがった指が滑り止め手段によって滑り止めされるため、はさみ持ちやつかみ持ちのいずれの場合でも電気かみそり１を不用意に滑り落とすことがなくなり、またグリップ部Ｂを握る手に違和感もなくなる。
【００１５】
また上記ヘッド部Ａ側に、グリップ部Ｂに設けた突出壁７４の上端縁７４ａと対向する突出部７７を設けると共に、突出部７７と突出壁７４との間にヘッド部Ａが移動できるように空間７８を設けるのが好ましく、この場合、指当て部７５に当てた指とヘッド部Ａとの間の間隔に余裕が生じ、指当て部７５に当てた指が不用意にヘッド部Ａに接触する危険性をなくすことができると共に、空間７８によってグリップ部Ｂに対するヘッド部Ａの動きを大きくでき、どのような剃り方をしてもヘッド部Ａは肌に追従できるようになる。さらに、ヘッド部Ａに設けた突出部７７によってヘッド部Ａ内部の収納スペースが拡大し、これによりヘッド部Ａの高さを高くすることなく、例えば大型のモータ５が内蔵可能となる。
【００１６】
また上記ヘッド部Ａにモータ５を内蔵するのが好ましく、この場合、グリップ部Ｂにモータ５の収納スペースを確保する必要がなくなり、グリップ部Ｂをスリム化できる結果、グリップ部Ｂが非常に持ちやすくなると共に、グリップ部Ｂに対するヘッド部Ａの動きを大きく確保できるようになる。
【００１７】
【発明の実施の形態】
以下、本発明を添付図面に示す実施形態に基づいて説明する。
【００１８】
本実施形態の電気かみそり１は、図１に示すように、大きく分けて刃ヘッドブロック２と、グリップブロック３とにより構成されており、グリップブロック３内の上端付近に刃ヘッドブロック２を支持する部材が配設されている。ここでは、図６に示すように、刃ヘッドブロック２とグリップブロック３との間に刃ヘッド支持ブロック４が配設されている。
【００１９】
先ず、刃ヘッドブロック２の構成について、図３〜図５に基づいて詳述する。
【００２０】
刃ヘッドブロック２は、大きく分けてリニアモータ５を収納したヘッドケースブロック６と、内刃７と、外刃ブロック８とにより構成されており、リニアモータ５の左右方向Ｆ（図１）の振動がその先端の駆動子９によって内刃７に伝えられて、内刃７と外刃１０が互いに摺動することにより、外刃１０の刃穴に入った髭をカットするものである。図５に示すように、リニアモータ５はその下部において、モータ基台１１と一体的に結合した状態でヘッドケース１２内に上側から挿入され、下側からヘッド下ネジ１３にて固定されている。
【００２１】
上記ヘッドケース１２は、図５に示すように、上からヘッドケースカバー１４、駆動子防水ゴム１５、ゴム押え板１６を介してヘッド上ネジ１７で固定されている。ヘッドケース１２をネジ固定することにより、ヘッドケースブロック６はリニアモータ５を内蔵した１つの箱体として構成されている。また、ヘッドケースカバー１４の下面には、防水用のゴム（図示せず）が設けられており、これによってヘッドケースブロック６は防水されたケースとして構成されている。リニアモータ５の下側から延びているリード線１８は、図３に示すように、リニアモータ５を駆動させるためにその先端部がグリップブロック３内の駆動回路に結合されるものであり、ヘッドケース１２下部に設けた穴（図示せず）を通って防水性のあるゴムチューブ２０を挿通した後に、後述する前ハウジング２１の上面に設けられた穴２２（図７）を通って、前後ハウジング２１，２４内の回路１９（図３）に結線される。ゴムチューブ２０の上端は、ヘッドケース１２底面に設けた筒穴（図示せず）に圧入した後に後述のヘッド止め部材２３の係止穴２３ａ（図５）によりその外側から係止され、ゴムチューブ２０の下端は後ハウジング２４上面のリード線用筒穴に圧入された後に、後述するクリック部材２５の係止穴２５ｂ（図７）に挿入されて係止されるようになっている。すなわち、ヘッド部Ａとグリップ部Ｂの箱状空間１１０との間を防水構造とし、さらにゴムチューブ２０などの弾性チューブでヘッド部Ａとグリップ部Ｂと結合し、ゴムチューブ２０内にリード線１８を通して、防水状態でヘッド部Ａにグリップ部Ｂからの電力が供給されるようにしたので、大きな相対移動が可能な状態で防水が可能となり、掃除性も向上するものである。
【００２２】
上記ヘッドケース１２は、図５に示すように、その底面中央付近のみを下側に突出させた突出部１２ａとなっている。突出部１２ａの前後両面には、左右一対の支持突起４５，４５と中央の１つの凸部２６とがそれぞれ設けられていると共に、突出部１２ａの左右の両サイドには、上方に向けて凹んだ凹み７２がそれぞれ設けられており、凹み７２，７２の下面を突出部１２ａの下面よりも高くすることでヘッド部Ａの左右傾きをより大きくすることができ、肌への追従性も向上させることができるものである。しかもヘッドケース１２の下側への突出部１２ａのみを前後壁２１ａ，２４ａで覆い、その両外側に前後方向Ｅに貫通した隙間が設けられているため、剃り時にヘッド部Ａの動きを確認しやすく、ヘッド部Ａを左右に大きく回転させることができると共に、髭が溜まりにくい構造となる。また、前後壁２１ａ，２４ａの幅寸法Ｌ１（図２）はグリップ部Ｂの左右方向Ｆの幅寸法Ｌ２（図２）よりも小さくなっている。これにより通常の手によるグリップ状態において、指がヘッド下側の可動範囲に入る可能性が大きく低減し、指がヘッド部Ａに当たってヘッド部Ａの動きに対しての妨げとなることなく、グリップ性を確保できる構造となっている。
【００２３】
ここで、上記ヘッド部Ａを前後方向Ｅに保持する機構と前後方向Ｅのガタツキを防止する機構とを説明する。前壁２１ａにはヘッド部Ａを前後方向Ｅに保持する機構が設けられている。図５に示す例ではヘッド止め部材２３の前後一対の係止突起２７がヘッドケース１２の前後両面の各凸部２６に係止することで、ヘッド止め部材２３はヘッドケースブロック６に取り付けられる。さらにヘッド止め部材２３の前側の上端部には左右に突出する突片２８，２８が設けられ、この突片２８，２８が前ハウジング２１の前壁２１ａに設けた開口２９に引掛けられることで、ヘッド止め部材２３の突片２８が前壁２１ａに係止され、これにより、ヘッドケースブロック６は前ハウジング２１に対して前後方向Ｅ（図１）に動かないように保持される。従って、前ハウジング２１の前壁２１ａと後ハウジング２４の後壁２４ａとの間のピッチがばらついても、常にヘッドケースブロック６を前ハウジング２１の前壁２１ａで保持して、前後方向Ｅのガタツキを防止できるようになる。さらに、ヘッド止め部材２３の背面下部から下側に延出するように突起部９０（図７）が形成され、この突起部９０が後壁２４の内面に摺接しており、これによりヘッドケースブロック６のの前後方向Ｅの傾きを防止している。つまり、突起部９０が後ハウジング２４の後壁２４ａ内面に摺接することで、ヘッドケースブロック６は前後方向Ｅに傾かない状態で上下方向のみにガイドされるようになることで、剃り時にヘッド部Ａに対して前後方向Ｅの力が加わっても、ヘッド部Ａが前後方向Ｅに傾かず、従来のようにヘッド部Ａが前後に傾いて剃りにくくなるのを防ぐことができるものである。
【００２４】
また上記ヘッドケース１２の長手方向両端面には、図５に示すように、刃着脱釦３０が配設されている。各刃着脱釦３０は、ヘッドケース１２に内包した刃着脱釦バネ３１により外側に付勢された状態で取り付けられている。
【００２５】
次に内刃７を説明する。上記リニアモータ５の駆動子９は、図５に示すヘッドケース１２の上面中央部の穴から上方に突出しており、この駆動子９に対して前後方向からスリット駆動桿３２、トリマー駆動桿３３が取り付けられている。駆動子９の中には内刃押上バネ３４がバネストッパー３５により保持されており、その上から内刃７が結合することにより、内刃７が上方に付勢された状態となっている。
【００２６】
次に外刃ブロック８を説明する。図４に示すように、３つの刃が前後方向Ｅに外刃１０（ネット刃）、スリット刃３６、外刃１０（ネット刃）の順で配設されており、それらはスリットフロートバネ３７によってそれぞれが独立にフロート可能となるように、枠形状の保持枠３８により保持されている。外刃１０は外刃枠３９により固定され、外刃枠３９は刃カバー部材４０により、保持枠３８に結合している。保持枠３８の左右方向Ｆ両端に設けられた係合穴４１に対して刃着脱釦３０上部の係合突起４２（図５）が係合することにより、外刃ブロック８はヘッドケース１２に対して着脱自在に保持されるものである。
【００２７】
次に刃ヘッド支持ブロック４の構成について、図３、図５、図６に基づいて詳述する。ヘッド支持部材４３は、図５に示すように、略コの字型に形成されており、その上先端部には穴部４４が設けられている。一方、ヘッドケース１２の前後壁には、それぞれ２箇所、計４箇所の前後方向Ｅに突出する支持突起４５が設けられている。前後の支持突起４５はそれぞれ、正面から見て同軸上となる位置に形成されている。
【００２８】
ここで、上記ヘッド支持部材４３は左右に２つ配設されており、それぞれの上部の穴部４４がヘッドケース１２の支持突起４５に対して回転自在に、且つヘッドケース１２を下側から前後に挟み込む状態で係合している。また、各ヘッド支持部材４３は、図３に示すように、前後の各ハウジング２１，２４の前後壁２１ａ，２４ａに形成された左右一対の縦溝状のガイド溝４６，４７にそれぞれ嵌め込まれることにより、ヘッド支持部材４３は前後壁２１ａ，２４ａに挟まれた状態で上下動自在に保持されている。
【００２９】
ここで、上記ヘッド支持部材４３が左右に２つ設けたことによる機能は以下のように説明できる。肌面と異なる角度にヘッド部Ａが押し当てられた場合、ヘッド部Ａの両端部が肌に当たり、ヘッド部Ａを下に下げようとする力が発生する。このとき、ヘッド部Ａの回転の支点は、肌が当たった側と反対側のヘッド支持部材４３が軸となるために、力点との距離が大きくなり、ヘッド部Ａを回転させるための力が大きくなる。よって肌に対して沿う状態まで、ヘッド部Ａが軽い力で回転するために、肌と刃が密着して、より剃り残しのない電気かみそり１を提供できるものである。
【００３０】
さらに本例では、前壁２１ａ側のガイド溝４６の上端側にエラストマ製の弾性部材１００（図７）が配置されている。弾性部材１００はガイド溝４６の上端に設けられており、ガイド溝４６に沿ってヘッド支持部材４３が移動する際に、フロートしたヘッド支持部材４３が復帰するときの衝撃を弾性部材１００によって緩和して、手への衝撃や音を低減する働きをする。
【００３１】
次に上記ヘッド支持部材４３を付勢するバネブロック５０を説明する。バネブロック５０は、図３、図７に示すように、各ヘッド支持部材４３に対応して、左右に２つ設けられており、１つのバネブロック５０にはコイルバネ５１と板バネ５２が上下のバネ受け部材５３により保持されている。コイルバネ５１は上下の各バネ受け部材５３に設けられた突起（図示せず）で保持されている。板バネ５２は略Ｕ字型に形成されており、その一片が上側のバネ受け部材５３の突起を溶着することにより固定される。下側のバネ受け部材５３には、コイルバネ５１を挟む位置に２か所の突出部（図示せず）を有しており、その先端フックが上側のバネ受け部材５３に設けた穴（図示せず）と係合することにより、バネブロック５０を形成する。バネブロック５０の上側のバネ受け部材５３がヘッド支持部材４３の下面に当たり、下側のバネ受け部材５３が前後のハウジング２１，２４の箱状空間１１０の底面に当ることで、ヘッド支持部材４３はバネブロック５０によって下から支持される。これらの構成により、ヘッドケースブロック６の大きな相対移動が可能な状態で防水が可能となり、掃除性が向上するものとなる。また、上記のようにヘッド部Ａとグリップ部Ｂの箱状空間１１０の上面側の間に付勢要素を構成するヘッド支持部材４３とバネブロック５０とを設けたことで、付勢要素がグリップ部Ｂの太さに影響を与えないため、非常に持ちやすい細身のグリップ部Ｂを形成できると共に、ヘッド部Ａの下面の厚み方向全体に亘ってヘッド部Ａを支持することができ、ヘッド部Ａの動作が安定する。しかも、ヘッド部Ａに回転自在に結合されたヘッド支持部材４３をハウジングの前後壁２１ａ，２４ａの内側に形成されたガイド溝４６，４７で上下動自在に保持し、ヘッド支持部材４３をバネブロック５０にてバネ付勢したことによって、ヘッド部Ａの回転と上下動を行なうことができる構造となる。
【００３２】
次に上記バネブロック５０のバネ力を調整する機構を説明する。後ハウジング２４の片側の側面上部には、図３に示すように、扇形の平面部６３と穴６２とが形成されており、上記穴６２にレバー軸６４が挿通される。レバー軸６４の先端部に設けた突起６５に、レバー操作子６６が回転自在に結合しており、レバー操作子６６は後ハウジング２４の上記平面部６３に配設される。レバー軸６４は上記バネブロック５０の内側に挿入されて、レバー操作子６６を動かすことにより、レバー軸６４が回転し、レバー軸６４に設けた突部６７の先端高さが変化することで、バネブロック５０全体が上下に伸縮して、バネ受け部材５３の下面や板バネ５２を受ける高さを変化させることができ、これにより、フロート量やフロート力の調整を行えるようになっている。さらに、上記レバー軸６４の中央付近には先端に球形状を有する突起６８が形成されており、この突起６８がレバー軸６４に装着されているクリック部材２５の溝２５ａと係合することにより、クリック感を得ながらレバー軸６４の回転位置を位置決めできるようになっている。
【００３３】
次にグリップブロック３について、図１、図２、図３、図６に基づいて詳述する。グリップブロック３は前後に分割したハウジング２１，２４を中心に構成されており、前後のハウジング２１，２４はその間にゴムのＯリング５５（図３、図７）を挟んで結合されることにより、その内側に防水可能な箱状空間１１０を形成すると共に、箱状空間１１０の前後上端から上方に向かって前後壁２１ａ，２４ａがそれぞれ延出しており、これら前後壁２１ａ，２４ａの各内面がヘッド保持部となっている。ハウジング２１，２４内に形成された箱状空間１１０には、図３に示すように、電池５６、回路１９、それらを保持するための基台５６ａ等が配設される。前後のハウジング２１，２４はその背面部からハウジング固定ネジ５７により固定される。図３中の５８はネジ蓋である。
【００３４】
上記前ハウジング２１の前面には、スイッチ５９を挟み込んだ状態で、前ハウジシグ２１前面に設けたフックにより前面パネル６０が結合している。なお後ハウジング２４の背面には後面パネル６１が結合している。
【００３５】
また、トリマーブロック７０は、図２、図３、図７に示すように、後面パネル６１側に上下方向にスライド自在に取り付けられており、そのスライド上部位置において、トリマー駆動子７１（図３）が刃ヘッドブロック２に設けられたトリマー駆動桿３３（図５）と結合し、駆動される。
【００３６】
次に、上記構成されたグリップ部Ｂの外観形状を説明する。先ず、電気かみそり１のグリップ部Ｂの把持方法には、図８に示すように、指当て部７５に親指８１の指先８１ａを当てがい、手のひらをグリップ部Ｂの外表面から浮かし気味にしながらグリップ部Ｂの背面に人差し指８２、中指８３、薬指８４、小指８５の各指先８２ａ〜８５ａを当てがうようにする「はさみ持ち」や、図９に示すように、指当て部７５に親指８１の指先８１ａを当てがい、手のひらをグリップ部Ｂの外表面にフィットさせながら人差し指８２、中指８３、薬指８４、小指８５の各指先８２ａ〜８５ａでグリップ部Ｂを掴むようにする「つかみ持ち」とがある。「はさみ持ち」では例えばヘッド部Ａの刃先の角度が変えやすくなり、「つかみ持ち」では、例えば刃先をまっすぐに移動させやすくなり前髪揃えカット等が行い易くなる。
【００３７】
ここで、本発明のグリップ部Ｂは、ヘッド部Ａに近いグリップ部Ｂの前壁２１ａには、ヘッド部Ａの底面７３よりも上側に突出する突出壁７４が突設されており、この突出壁７４の前面に指当て部７５が設けられている。突出壁７４は、中央部の高さが両端部よりも高くなった正面視で略三角形状をしており、指当て部７５の上半部は突出壁７４に合わせて略三角形状に形成されている。本例では菱形状をした指当て部７５全体が内凹み状に形成されている。なお指当て部７５の形状は適宜設計変更自在である。さらに本例では、指当て部７５に滑り止め手段が設けられている。本例では図１、図２のドット部分で示すように、エラストマのような摩擦係数が大きい弾性部材からなる滑り止め部８０が、グリップ部Ｂの正面上半部Ｂ１ａに設けた指当て部７５全体に配設され、さらにグリップ部Ｂの正面下半部Ｂ１ｂから両サイドの側面下半部Ｂ２ｂ及び側面上半部Ｂ２ａに連続し、更にグリップ部Ｂの背面部にまで連続して配設されている。
【００３８】
また、ヘッド部Ａ側には、グリップ部Ｂに設けた突出壁７４の上端縁７４ａと対向する突出部７７が設けられており、突出壁７４の前面と突出部７７の前面とは面一状に形成されていると共に、突出部７７と突出壁７４との間にはヘッド部Ａが移動できるように空間７８が設けられた構造となっている。この空間７８によって指当て部７５に当てた親指８１の指先８１ａとヘッド部Ａとの間の間隔に余裕を生じ、指先８１ａがヘッド部Ａに接触するのを確実に防止できると同時にヘッド部Ａの動きが親指８１によって妨げとならず、ヘッド部Ａのスムーズな動きを確保できる構造となっている。
【００３９】
しかして、ヘッド部Ａに近いグリップ部Ｂの前壁２１ａに、ヘッド部Ａの底面７３よりも上側に突出する突出壁７４を形成し、この突出壁７４に指当て部７５を設けたので、図８に示す「はさみ持ち」や、図９に示す「つかみ持ち」の場合のいずれでも、グリップ部Ｂを握るユーザーの手の大きさや持ち方に差異があっても、指当て部７５に例えば親指８１の指先８１ａを当てがうようにすることで、親指８１の位置を定位置に位置決めでき、これに伴い他の４本の指の位置も決まり、使用中に電気かみそり１の取り落としがなくなると共に、刃先を思うように運ぶことが容易となる。従って、熟練のない素人でも安全かつ確実に握ることができ、握り性の向上を図ることができる。この結果、肌への押し付けの際に最適な押し付け力で剃ることができると共に、肌に対して刃を最適な角度で当てることができ、剃り残しをなくして剃り時間を短くできるものである。しかも、指当て部７５は、ヘッド部Ａに近いグリップ部Ｂの上端部から突設した突出壁７４の正面に設けられているため、親指８１の指先８１ａをヘッド部Ａに近い位置で固定できることとなり、ヘッド部Ａが上下移動する方式或いは左右に揺動する方式においても、グリップ部Ｂを安定よくつかむことができ、それでいて指がヘッド部Ａの動きを邪魔することがないため、安全確実にカットを行なうことができる。
【００４０】
また本例では、指当て部７５の背面にてヘッド部Ａを支持するヘッド支持部７６が構成されている。ここでは、図７に示す前壁２１ａの背面に設けた開口２９がヘッド支持部７６を構成している。つまり、ヘッド部Ａの下端側の両面に設けた各凸部２６をヘッド止め部材２３の係止突起２７にそれぞれ係止し、さらにヘッド止め部材２３の突片２８，２８を上記開口２９に引掛けることで、突出壁７４によりヘッド部Ａの前後方向Ｅのガタツキを防止した状態で支持できる構造となっている。また、指当て部７５とヘッド支持部７６とが近接することによって、ヘッド支持部７６に近い部分を指で押さえる形となり、ヘッド部Ａの動作がより安定化するものである。しかも指当て部７５は内凹み状に形成されているため、ユーザーは親指８１の指先８１ａの腹を指当て部７５に滑らかに添えることができ、またこのとき指先８１ａが指当て部７５に引っ掛かりやすくなるため、電気かみそり１の取り落としを極力防止できる。特に指当て部７５を凹曲面状に形成することで、指当て部７５の外表面が汚れたとき清掃する際に汚れを十分に拭き取ることができ、衛生管理上好ましくなる。
【００４１】
さらに、指当て部７５の表面にエラストマ製の滑り止め部８０を配設しているので、手の大きさや、把持時の微妙な位置ズレに関係なく、親指８１の指先８１ａを指当て部７５の滑り止め部に確実に位置決めでき、グリップ性が向上すると共に、滑り止め効果によって非常に安定し且つ滑りにくい握り心地感を与えることが可能となる。この結果、どのようなつかみ方をしても、電気かみそり１を不用意に滑り落とすことがなく、また握る手に違和感もないうえに指が滑ってヘッド部Ａに接触したりするおそれもないため、安全且つ確実に髭剃り等を行なうことができるものである。
【００４２】
さらに、ヘッド部Ａ側に、グリップ部Ｂに設けた突出壁７４の上端縁７４ａと対向する突出部７７を設けると共に、突出部７７と突出壁７４との間にヘッド部Ａが移動できるように空間７８を設けたので、指当て部７５に当てた親指８１の指先８１ａとヘッド部Ａとの間の間隔に余裕が生じ、指先８１ａがヘッド部Ａに接触するのを確実に防止できる。これにより、ヘッド部Ａに近いグリップ部Ｂに設けた指当て部７５に親指８１を当てるものでありながら、指先８１ａが不用意にヘッド部Ａに接触する危険性がなく、それでいてどのような剃り方をしても肌に追従できるようにヘッド移動量を大きく確保できるという利点があり、さらに突出部７７によってヘッド部Ａの前面を前方に突出させることができ、これによりヘッド部Ａの収納スペースが拡大し、大型のモータ５が内蔵可能となり、十分なパワーを出すことができ、切れ味がよくなるという利点がある。すなわち、ヘッド部Ａとグリップ部Ｂとを分離してヘッド部Ａを左右に揺動する構造とする場合において、モータ５をヘッド部Ａに内蔵することで、グリップ部Ｂにはモータ５の収納スペースが不要となり、リップ部をスリム化できる結果、グリップ部Ｂが非常に持ちやすくなると共に、グリップ部Ｂに対するヘッド部Ａの動きを大きく確保できるようになり、肌への追随性を更に向上させることができるという利点もある。
【００４３】
【発明の効果】
上述のように請求項１記載の発明にあっては、モータと刃を備えたヘッド部がグリップ部に対して移動自在に支持されている電気かみそりにおいて、ヘッド部に近いグリップ部の前壁に、ヘッド部の底面よりも上側に突出する突出壁を形成し、この突出壁に指当て部を設けたので、ユーザーの手の大きさや持ち方に差異があっても、指当て部に例えば親指の指先を当てがうようにすることで、親指の位置を定位置に位置決めできるようになり、これにより他の４本の指の位置も決まり、使用中に電気かみそりの取り落としがなくなると共に、刃先を思うように運ぶことも容易となり、熟練のない素人でも安全かつ確実なつかみ方ができるようになる。そのうえ指当て部は、ヘッド部に近いグリップ部の上端部から突設した突出壁に設けられているため、指当て部をヘッド部に近い位置に位置させることができるため、指当て部に当てがった指によってヘッド部の動きが安定よくなり、握り性の向上を図ることができる結果、安全確実にカットを行なえるものである。
【００４４】
また請求項２記載の発明は、請求項１記載の効果に加えて、指当て部の背面にてヘッド部を支持するヘッド支持部を構成したので、指当て部とヘッド支持部とが近接することによって、ヘッド支持部に近い部分を指で押さえる形となり、ヘッド部の動作をより安定化できる
また請求項３記載の発明は、請求項１又は請求項２記載の効果に加えて、指当て部を凹み状に形成したので、指当て部に指先の腹を滑らかに添えることができると共に指先が凹み状をした指当て部に引っ掛かりやすくなる。しかも、滑らかな凹み状にすれば指当て部を清掃する際に汚れを十分に拭き取ることができ、衛生管理上においても好ましくなる。
【００４５】
また請求項４記載の発明は、請求項１又は請求項２又は請求項３記載の効果に加えて、指当て部に滑り止め手段を設けたので、指当て部に当てがった指が滑り止め手段によって滑り止めされるため、はさみ持ちやつかみ持ちのいずれの場合も不用意に電気かみそりを滑り落とすことがなくなり、またグリップ部を握る手に違和感もなくなり、指当て部に指を正しく当てがった状態で髭剃り等を行なうことができる。
【００４６】
また請求項５記載の発明は、請求項１記載の効果に加えて、ヘッド部側に、グリップ部に設けた突出壁の上端縁と対向する突出部を設けると共に、突出部と突出壁との間にヘッド部が移動できるように空間を設けたので、指当て部に当てた指とヘッド部との間の間隔に余裕が生じ、指当て部に当てた指が不用意にヘッド部に接触する危険性をなくして、安全性を確保できると共に、空間によってグリップ部に対するヘッド部の動きを大きくでき、どのような剃り方をしてもヘッド部は肌に追従できるようになる。さらに、ヘッド部に設けた突出部によってヘッド部内部の収納スペースが拡大し、これによりヘッド部の高さを高くすることなく例えば大型のモータが内蔵可能となり、十分なパワーを出して切れ味を良くすることができるものである。
【００４７】
また請求項６記載の発明は、請求項１又は請求項５記載の効果に加えて、ヘッド部にモータを内蔵したので、グリップ部にモータの収納スペースを確保する必要がなくなり、グリップ部をスリム化できる結果、非常に持ちやすい細身のグリップ部を形成できると共に、グリップ部に対するヘッド部の動きを大きく確保できる結果、肌への追随性を更に向上させることができる。
【００４８】
また請求項７記載の発明は、モータと刃を備えたヘッド部がグリップ部に対して移動自在に支持されていると共に、ヘッド部に近いグリップ部の前壁に、ヘッド部の底面よりも上側に突出する突出壁を形成し、この突出壁に指当て部を設けてなる電気かみそりであるので、ユーザーの手の大きさや持ち方に差異があっても、グリップ部を持つ指の位置を容易に決めることができ、使用時に電気かみそりを取り落とすことがなくなり、刃先を思うように運ぶことが容易になると共に、熟練のない素人でも安全かつ確実なつかみ方ができ、そのうえヘッド部の動きの安定性をよくでき、安全確実にカットが行なえるようにした電気かみそりを提供できるものである。
【図面の簡単な説明】
【図１】本発明の実施形態の一例を示す全体斜視図である。
【図２】同上の正面図である。
【図３】同上の全体の分解斜視図である。
【図４】同上の外刃ブロックの分解斜視図である。
【図５】同上のヘッドケースブロックの分解斜視図である。
【図６】同上の後ハウジングを外した状態の背面図である。
【図７】同上の全体の分解斜視図である。
【図８】（ａ）（ｂ）は同上のグリップ部をはさみ持ちした場合の説明図である。
【図９】（ａ）（ｂ）は同上のグリップ部をつかみ持ちした場合の説明図である。
【符号の説明】
１　電気かみそり
５　モータ
２１ａ　前壁
７４　突出壁
７４ａ　上端縁
７５　指当て部
７６　ヘッド支持部
７７　突出部
７８　空間
Ａ　ヘッド部
Ｂ　グリップ部
【図１】
2004073815.tif 000003
【図２】
2004073815.tif 000004
【図３】
2004073815.tif 000005
【図４】
2004073815.tif 000006
【図５】
2004073815.tif 000007
【図６】
2004073815.tif 000008
【図７】
2004073815.tif 000009
【図８】
2004073815.tif 000010
【図９】
2004073815.tif 000011